(57)【特許請求の範囲】
【請求項１】
断面円形とは異なる断面形状を有しねじり部材の基になる鋼管を、加熱装置と、前記鋼管の軸線周りに回転可能な回転冷却ユニットとに対して前記鋼管の長手方向に相対的に送りながら、前記加熱装置により前記鋼管を局所的に加熱すると共に、前記鋼管の局所的に加熱された部分にねじり力を加えてねじり部を形成する熱間加工ステップと、
前記鋼管を前記加熱装置及び前記回転冷却ユニットに対して相対的に送りながら、前記回転冷却ユニットを前記ねじり部のねじれに追従して前記鋼管の軸線周りに回転させると共に、前記回転冷却ユニットから前記ねじり部に向けて冷却水を噴射し、前記ねじり部を冷却して焼入れする冷却ステップと、
を備えるねじり部材の製造方法。
【請求項２】
前記鋼管の送り方向に分割された複数の冷却ユニットを有する冷却装置を用い、
前記冷却ステップにおいて、前記複数の冷却ユニットのうち前記鋼管の送り方向上流側から二番目以降に配置され前記回転冷却ユニットである冷却ユニットを前記鋼管の軸線周りに回転させると共に、前記複数の冷却ユニットから前記ねじり部に向けて冷却水を噴射し、前記ねじり部を冷却して焼入れする、
請求項１に記載のねじり部材の製造方法。
【請求項３】
前記鋼管の送り方向に並ぶ複数の冷却装置を用い、
前記冷却ステップにおいて、前記複数の冷却装置のうち前記鋼管の送り方向上流側から二番目以降に配置され前記回転冷却ユニットである冷却装置を前記鋼管の軸線周りに回転させると共に、前記複数の冷却装置から前記ねじり部に向けて冷却水を噴射し、前記ねじり部を冷却して焼入れする、
請求項１又は請求項２に記載のねじり部材の製造方法。
【請求項４】
前記熱間加工ステップにおいて、前記鋼管にねじり力及び曲げ力を加えて前記ねじり部に曲げ変形を加え、
前記冷却ステップにおいて、前記ねじり部の曲げ変形に応じて前記二番目以降に配置された冷却装置の向き及び位置を変更する、
請求項３に記載のねじり部材の製造方法。
【請求項５】
断面円形とは異なる断面形状を有しねじり部材の基になる鋼管を局所的に加熱する加熱装置と、
前記加熱装置によって前記鋼管の局所的に加熱された部分にねじり力を加えてねじり部を形成する外力付与装置と、
前記鋼管の軸線周りに回転可能であると共に、前記ねじり部に向けて冷却水を噴射する回転冷却ユニットと、
前記鋼管を前記加熱装置及び前記回転冷却ユニットに対して前記鋼管の長手方向に相対的に送る送り装置と、
前記回転冷却ユニットを前記鋼管の軸線周りに回転させる駆動装置と、
前記ねじり部のねじれに追従して前記回転冷却ユニットが前記鋼管の軸線周りに回転するように、前記駆動装置を制御する制御装置と、
を備えるねじり部材の製造装置。
【請求項６】
前記鋼管の送り方向に分割され前記ねじり部に向けて冷却水を噴射する複数の冷却ユニットを有する冷却装置を備え、
前記複数の冷却ユニットのうち前記鋼管の送り方向上流側から二番目以降に配置された冷却ユニットは、前記回転冷却ユニットである、
請求項５に記載のねじり部材の製造装置。
【請求項７】
前記鋼管の送り方向に並び、前記ねじり部に向けて冷却水を噴射する複数の冷却装置を備え、
前記複数の冷却装置のうち前記鋼管の送り方向上流側から二番目以降に配置された冷却装置は、前記回転冷却ユニットである、
請求項５又は請求項６に記載のねじり部材の製造装置。
【請求項８】
前記外力付与装置は、前記鋼管にねじり力及び曲げ力を加えて前記ねじり部に曲げ変形を加え、
前記二番目以降に配置された冷却装置は、前記ねじり部の曲げ変形に応じて向き及び位置を変更可能である、
請求項７に記載のねじり部材の製造装置。
【請求項９】
断面円形とは異なる断面形状を有しねじり部材の基になる鋼管を局所的に加熱する加熱装置と、
前記加熱装置によって前記鋼管の局所的に加熱された部分にねじり力を加えてねじり部を形成する外力付与装置と、
前記鋼管の軸線周りに回転可能であると共に、前記ねじり部に向けて冷却水を噴射する回転冷却ユニットと、
前記鋼管を前記加熱装置及び前記回転冷却ユニットに対して前記鋼管の長手方向に相対的に送る送り装置と、
前記鋼管の送り方向に並び、前記ねじり部に向けて冷却水を噴射する複数の冷却装置として、前記複数の冷却装置のうち前記鋼管の送り方向上流側から二番目以降に配置された冷却装置は、前記回転冷却ユニットである複数の冷却装置と、を備え、
前記外力付与装置は、前記鋼管にねじり力及び曲げ力を加えて前記ねじり部に曲げ変形を加え、
前記二番目以降に配置された冷却装置は、前記ねじり部の曲げ変形に応じて向き及び位置を変更可能である、
ねじり部材の製造装置。
【請求項１０】
前記複数の冷却装置として、前記鋼管の送り方向に分割された複数の冷却ユニットを備え、
前記複数の冷却ユニットのうち前記鋼管の送り方向上流側から二番目以降に配置された冷却ユニットは、前記回転冷却ユニットである、
請求項９に記載のねじり部材の製造装置。
【発明の詳細な説明】
【技術分野】
【０００１】
本発明は、鋼管を熱間加工して鋼管からねじり部材を製造するねじり部材の製造方法及び製造装置に関する。
【背景技術】
【０００２】
鋼管を任意の形状に曲げ、鋼管の任意の箇所を焼入れにより高強度化する３次元熱間曲げ焼入れ(３ＤＱ: 3Dimensional Hot Bending and Quench)技術を本発明者達は研究開発している。３ＤＱは自動車の構造材等の製造に好適に用いられる技術である。３ＤＱにより製造される構造材には軽量かつ高強度という特長がある。３ＤＱによる構造材等の製造には金型が不要であるという特長がある。
【０００３】
３ＤＱ装置では、加熱装置と冷却装置が近接して配置される。３ＤＱ装置を使用した鋼管の加工では、鋼管を加熱装置と冷却装置の順に通過させながら、加熱装置と冷却装置の間の鋼管に生じる鋼管の局所的に加熱された部分（高温部）に任意の方向の曲げモーメントを与える。３ＤＱによって、鋼管の任意の箇所が任意の形状に曲げられ、焼入れされた部材に加工できる。本発明において、高温部とは、Ａｃ３変態点以上の温度の部分である。
【０００４】
鋼管に曲げモーメントを付与する装置は、特に限定されない。鋼管に曲げモーメントを付与する装置としては、特許文献１のように鋼管の送り方向における冷却装置の下流側に配置された可動ローラダイス、特許文献２のように鋼管の送り方向下流側において鋼管の端部に取り付けられたチャックとマニピュレータ、特許文献３のように鋼管の送り方向上流側において鋼管の端部に取り付けられたチャックとマニピュレータが例示される。
【０００５】
３ＤＱでは、曲げ加工のみならず、ねじり加工も可能である。特許文献１と特許文献３には３ＤＱでねじり加工が可能であることが開示されている。特許文献４には３ＤＱによるねじり部材が開示されている。
【先行技術文献】
【特許文献】
【０００６】
【特許文献１】国際公開第２００６／０９３００６号パンフレット
【特許文献２】国際公開第２０１０／０５０４６０号パンフレット
【特許文献３】国際公開第２０１１／００７８１０号パンフレット
【特許文献４】国際公開第２０１０／０８４８９８号パンフレット
【発明の概要】
【発明が解決しようとする課題】
【０００７】
本発明は、一つの例として、３ＤＱで熱間加工したねじり部材のねじり部に生じる機械特性の不均一を解消できるようにすることを目的とする。
【課題を解決するための手段】
【０００８】
本発明の一の態様に係るねじり部材の製造方法は、断面円形とは異なる断面形状を有しねじり部材の基になる鋼管を、加熱装置と、前記鋼管の軸線周りに回転可能な回転冷却ユニットとに対して前記鋼管の長手方向に相対的に送りながら、前記加熱装置により前記鋼管を局所的に加熱すると共に、前記鋼管の局所的に加熱された部分（高温部）にねじり力を加えてねじり部を形成する熱間加工ステップと、前記鋼管を前記加熱装置及び前記回転冷却ユニットに対して相対的に送りながら、前記回転冷却ユニットを前記ねじり部のねじれに追従して前記鋼管の軸線周りに回転させると共に、前記回転冷却ユニットから前記ねじり部に向けて冷却水を噴射し、前記ねじり部を冷却して焼入れする冷却ステップと、を備える。
【０００９】
本発明の他の態様に係るねじり部材の製造装置は、断面円形とは異なる断面形状を有しねじり部材の基になる鋼管を局所的に加熱する加熱装置と、前記加熱装置によって前記鋼管の局所的に加熱された部分にねじり力を加えてねじり部を形成する外力付与装置と、前記鋼管の軸線周りに回転可能であると共に、前記ねじり部に向けて冷却水を噴射する回転冷却ユニットと、前記鋼管を前記加熱装置及び前記回転冷却ユニットに対して前記鋼管の長手方向に相対的に送る送り装置と、を備える。
【発明の効果】
【００１０】
本発明の上記態様によれば、３ＤＱで熱間加工したねじり部材のねじり部に生じる機械特性の不均一を解消できる。
【図面の簡単な説明】
【００１１】
【図１】３ＤＱ装置の斜視図である。
【図２】誘導加熱コイル及び冷却装置の側断面図である。
【図３】冷却装置の正面図である。
【図４】ねじり部材の一例を示す斜視図である。
【図５】ねじり加工しない場合の冷却水が当たる各位置での鋼管の角部の温度測定結果を表わすグラフである。
【図６】ねじり加工しない場合の鋼管の三面図である。
【図７】ねじり加工した場合の冷却水が当たる各位置での鋼管の角部の温度測定結果を表わすグラフである。
【図８Ａ】ねじり加工条件１でねじり加工された鋼管の三面図である。
【図８Ｂ】ねじり加工条件２でねじり加工された鋼管の三面図である。
【図８Ｃ】ねじり加工条件３でねじり加工された鋼管の三面図である。
【図８Ｄ】ねじり加工条件４でねじり加工された鋼管の三面図である。
【図９】図３の角部Ｌの拡大図である。
【図１０】図３の角部Ｕの拡大図である。
【図１１】冷却装置を複数の冷却ユニットに分割した実施例１においてねじり加工された鋼管の三面図である。
【図１２】ねじり加工及び曲げ加工により鋼管の角部の位置が移動する様子を示す模式図である。
【図１３】複数の冷却装置を配置した実施例２においてねじり加工された鋼管の三面図である。
【発明を実施するための形態】
【００１２】
はじめに、ねじり部材の製造装置の一実施形態である３ＤＱ装置について説明する。
【００１３】
図１には、３ＤＱ装置１０が斜視図にて示されている。この３ＤＱ装置１０は、誘導加熱コイル１２と、高周波電力発生装置１４と、外力付与装置１６と、冷却装置１８と、冷却水供給装置２０と、送り装置２２と、制御装置２４とを備えている。この３ＤＱ装置１０は、鋼管６２に対して熱間加工及び焼入れ加工を連続して行うものである。
【００１４】
３ＤＱ装置１０が加工対象とする鋼管６２は、断面円形とは異なる断面形状、例えば、正方形、長方形、台形などの多角形や楕円形等の断面形状を有する鋼管とされる。本実施形態では、一例として、鋼管６２が横長の断面長方形状に形成されている。この鋼管６２は、後述する送り装置２２により鋼管６２の長手方向に送られる。矢印Ｓは、鋼管６２の送り方向を示している。また、矢印Ｘ、矢印Ｙ、矢印Ｚは、３ＤＱ装置で加工される鋼管６２の横方向、縦方向、長手方向をそれぞれ示している。
【００１５】
誘導加熱コイル１２は、鋼管６２の断面形状に対応する矩形状に形成されており、鋼管６２の外周面から所定距離離れて鋼管６２を包囲して配置される。この誘導加熱コイル１２は、高周波電力発生装置１４から高周波電力が供給されることにより、誘導加熱コイル１２の内側において鋼管６２に局所的に誘導電流を発生させて、この鋼管６２を局所的に誘導加熱する。この誘導加熱コイル１２は、加熱装置の一例である。誘導加熱コイル１２の代わりに、鋼管６２を局所的に加熱できる加熱装置が用いられても良い。
【００１６】
高周波電力発生装置１４は、誘導加熱コイル１２に接続されており、誘導加熱コイル１２に高周波電力を供給する。この高周波電力発生装置１４は、例えば鋼管６２を短時間（２秒程度）で変態点以上の所望の温度に急速に加熱できるように、誘導加熱コイル１２への供給電力を調節可能である。
【００１７】
外力付与装置１６は、一例として、二組の一対の支持ローラ３２と、一対の可動ローラダイス３４と、駆動部３６とを備えている。二組の一対の支持ローラ３２は、誘導加熱コイル１２に対する鋼管６２の送り方向上流側に配置されており、各一対の支持ローラ３２は、鋼管６２の横方向の両側から鋼管６２を把持する。一対の可動ローラダイス３４は、後述する冷却装置１８に対する鋼管６２の送り方向下流側に配置されており、鋼管６２の横方向の両側から鋼管６２を把持する。
【００１８】
外力付与装置１６の駆動部３６は、一対の可動ローラダイス３４を鋼管６２の軸線周りに回転させるねじり機能と、一対の可動ローラダイス３４を鋼管６２の縦方向及び横方向に移動させる曲げ機能とを有する。
【００１９】
駆動部３６によって一対の可動ローラダイス３４が鋼管６２の軸線周りに回転させられることにより、支持ローラ３２と可動ローラダイス３４との間において鋼管６２にねじり力が加えられる。また、駆動部３６によって一対の可動ローラダイス３４が鋼管６２の縦方向及び横方向の少なくとも一方に移動させられることにより、支持ローラ３２と可動ローラダイス３４との間において鋼管６２に曲げ力が加えられる。
【００２０】
このような駆動部３６は、例えば、一対の可動ローラダイス３４を鋼管６２の縦方向及び横方向に移動させるＸ−Ｙステージと、このＸ−Ｙステージを作動させるモータと、一対の可動ローラダイス３４が鋼管６２の軸線周りに回転するようにＸ−Ｙステージをロールさせるロール機構と、このロール機構を作動させるモータ等を組み合わせた駆動装置により実現される。外力付与装置１６は、可動ローラダイス及び駆動部を有する機構に限らず、例えば、特許文献３のようなチャックとマニピュレータでも良い。
【００２１】
冷却装置１８は、誘導加熱コイル１２に対する鋼管６２の送り方向下流側に配置されている。この冷却装置１８は、鋼管６２の断面形状に対応する矩形環状に形成されており、鋼管６２の外周面から所定距離離れて鋼管６２を包囲して配置される。
【００２２】
図２には、誘導加熱コイル１２及び冷却装置１８が側断面図にて示されており、図３には、冷却装置１８が正面図にて示されている。図２では、鋼管６２の局所的に加熱された部分（高温部）が色付けされて示されている。図３は、冷却装置１８を鋼管６２の送り方向下流側から上流側に向かって見た図である。
【００２３】
図２、図３に示されるように、冷却装置１８には、複数の噴射口４２が形成されている。複数の噴射口４２は、鋼管６２に対する縦方向の両側と、鋼管６２に対する横方向の両側にそれぞれ設けられている。図３では、複数の噴射口４２の一部が表示されており、複数の噴射口４２の残りの図示が省略されている。複数の噴射口４２は、複数の列を成して配置されている。以下、この複数の列を、冷却装置１８の内側から順に、Ａ列、Ｂ列、Ｃ列、Ｄ列、Ｅ列、Ｆ列、Ｇ列、Ｈ列とする。
【００２４】
この複数の噴射口４２が開口する面４４は、環状に形成された冷却装置１８の内側、かつ、鋼管６２の送り方向下流側を向いている。このため、複数の噴射口４２からは、鋼管６２の送り方向下流側へ向けて冷却水が噴射される。
【００２５】
図１に示される冷却水供給装置２０は、例えば、給水管に接続されたウォータポンプを有している。ウォータポンプが作動すると、冷却装置１８に冷却水が供給されると共に、冷却装置１８から冷却水が噴射される。
【００２６】
送り装置２２は、上述の誘導加熱コイル１２及び冷却装置１８に対する可動ローラダイス３４と反対側に配置されている。この送り装置２２は、本体部５２と、可動部５４と、駆動部５６とを有する。
【００２７】
可動部５４は、本体部５２よりも支持ローラ３２側に配置されており、鋼管６２を保持する。可動部５４は、本体部５２に対して離間する方向に移動可能とされている。この可動部５４には、例えば、鋼管６２を保持するチャック機構が用いられる。このような本体部５２、可動部５４、及び、駆動部５６を有する送り装置２２は、例えば、ボールネジ機構や、産業用ロボット等を用いて実現される。
【００２８】
送り装置２２の駆動部５６は、例えば、モータ装置、油圧装置、空圧装置等の動力源であり、可動部５４を本体部５２に対して離間する方向に移動させる。この送り装置２２では、可動部５４が鋼管６２を保持した状態で本体部５２に対して離間する方向に移動することにより、鋼管６２がその長手方向に送られる。
【００２９】
なお、図１に示される３ＤＱ装置１０では、鋼管６２を送る送り装置２２が用いられているが、誘導加熱コイル１２及び冷却装置１８を移動させる送り装置が用いられることにより、鋼管６２が誘導加熱コイル１２及び冷却装置１８に対して相対的に送られても良い。
【００３０】
制御装置２４は、上述の高周波電力発生装置１４と、冷却水供給装置２０と、外力付与装置１６の駆動部３６と、送り装置２２の駆動部５６とに電気的に接続されている。この制御装置２４は、演算装置や記憶装置等を有する電子回路を備えており、上述の高周波電力発生装置１４、冷却水供給装置２０、外力付与装置１６の駆動部３６、及び、送り装置２２の駆動部５６を制御する。
【００３１】
次に、上記３ＤＱ装置１０の基本動作を説明する。
【００３２】
＜送り開始ステップ＞
この３ＤＱ装置１０では、送り装置２２の駆動部５６が作動を開始すると、鋼管６２を保持する可動部５４が本体部５２に対して離間する方向に移動し、鋼管６２がその長手方向に送られる。鋼管６２は、後述する冷却ステップが終了するまで継続して送られる。
【００３３】
＜熱間加工ステップ＞
また、鋼管６２の送りが開始されると、高周波電力発生装置１４から誘導加熱コイル１２に高周波電力が供給される。そして、誘導加熱コイル１２の内側において鋼管６２に局所的に誘導電流が発生し、この鋼管６２が局所的に誘導加熱される。
【００３４】
また、製品仕様に応じた所定のタイミングにおいて、外力付与装置１６の駆動部３６によって一対の可動ローラダイス３４が鋼管６２の軸線周りに回転させられることにより、支持ローラ３２と可動ローラダイス３４との間において、鋼管６２の局所的に加熱された部分にねじり力が加えられる。そして、鋼管６２が熱間加工され、鋼管６２の局所的に加熱された部分にねじり部が形成される。
【００３５】
＜冷却ステップ＞
また、鋼管６２の送りが開始されると、冷却水供給装置２０が作動する。そして、冷却装置１８から鋼管６２に冷却水が噴射され、ねじり部を含む鋼管６２が順次冷却されて焼入れされる。
【００３６】
この３ＤＱ装置１０では、以上の基本動作により、鋼管６２からねじり部を有するねじり部材が製造される。図４には、ねじり部６６を有するねじり部材６４の一例が斜視図にて示されている。矢印Ｔは、鋼管６２のねじり方向を示している。
【００３７】
なお、必要に応じて図１に示される駆動部５６により一対の可動ローラダイス３４が鋼管６２の縦方向及び横方向の少なくとも一方に移動させられることにより、支持ローラ３２と可動ローラダイス３４との間において、鋼管６２の局所的に加熱された部分に曲げ力が加えられても良い。そして、図４に示されるねじり部６６に曲げ変形が加えられても良い。図１では、参考として、鋼管６２が曲げ変形された状態で示されている。
【００３８】
また、上記基本動作では、鋼管６２が全長に亘って誘導加熱コイル１２及び冷却装置１８を通過する間、誘導加熱コイル１２及び冷却装置１８が作動する以外に、鋼管６２の一部分が誘導加熱コイル１２及び冷却装置１８を通過するタイミングにおいて誘導加熱コイル１２及び冷却装置１８が作動しても良い。
【００３９】
次に、上記３ＤＱ装置１０の検討結果を説明する。
【００４０】
本発明者は、上記３ＤＱ装置１０でねじり加工を実施し、実験と観察を繰り返した。その結果、鋼管６２を大きくねじり加工すると、鋼管６２の角部が赤熱した状態で冷却装置１８を通過することがあり、この場合には、加工後の鋼管６２のねじり部に機械特性の不均一が生じることがあることに発明者は気がついた。冷却装置１８を通過後、鋼管６２が赤熱するほど温度が高くない場合でも、焼入れ部が焼き戻されるか、又は、焼入れされない可能性がある。このため、ねじり加工において鋼管６２の角部の温度変化を注意して管理する必要があると発明者は考えた。
【００４１】
冷却水同士が衝突して鋼管６２への冷却水の衝突圧が損なわれることを避けるため、図２に示されるように、冷却装置１８の噴射口４２は、好ましくは、鋼管６２の外面と冷却水との成す角度θが直角に近く、かつ、冷却水同士が衝突しないように配置される。発明者は鋼管６２の角部に熱電対を取り付け、図２、図３のＡ〜Ｈ列の噴射口４２からの冷却水が当たる各位置での鋼管６２の角部の温度を測定した。
【００４２】
図５には、ねじり加工しない場合の冷却水が当たる各位置での鋼管６２の角部の温度測定結果、すなわち、ねじり加工しない場合の鋼管６２の角部の温度と送り量との関係を表わすグラフが示されている。図５の横軸のＡ〜Ｈは、図２、図３のＡ〜Ｈ列の噴射口４２からの冷却水が当たる各位置に相当する。図６には、参考として、ねじり加工しない場合の鋼管６２が三面図にて示されている。
【００４３】
図５に示されるように、ねじり加工しない場合、鋼管６２は、Ａ列の噴射口４２からの冷却水が当たる各位置において最も温度が高くなり、その後、Ｂ〜Ｈ列の噴射口４２からの冷却水により冷却されて温度が低下する。
【００４４】
一方、図７には、ねじり加工した場合の冷却水が当たる各位置での鋼管６２の角部の温度測定結果を表わすグラフが示されている。図７の横軸のＡ〜Ｈは、図５の横軸と同様に、図２、図３のＡ〜Ｈ列の噴射口４２からの冷却水が当たる各位置に相当する。図３には、鋼管６２のねじり部６６が想像線（二点鎖線）にて示されており、図７の温度測定結果は、図３の想像線にて示される鋼管６２のねじり部６６における下側の角部、すなわち、角部Ｌについての温度測定結果である。
【００４５】
また、図７には、ねじり加工条件１〜４毎の温度測定結果が示されている。図７のねじり加工条件１〜４は、単位長さ当たりのねじり角度が、ねじり加工条件１〜４の順に大きくなっている。図８Ａ〜図８Ｄには、参考として、上述のねじり加工条件１〜４でねじり加工された鋼管６２が三面図にて示されている。
【００４６】
３ＤＱによるねじり部６６で強度不良が発生するのは、図７のねじり加工条件２〜４のように冷却の途中で鋼管６２の温度が上昇した箇所である。鋼管６２の温度上昇が発生する状況を確認するため、発明者はねじり加工条件２〜４において３ＤＱ加工をねじり加工の途中で止めた後、温度上昇が発生し始めた噴射口４２の上、下、左、右に位置する噴射口４２からそれぞれ個別に冷却水を噴出させた。その結果、鋼管６２の温度上昇が発生し始める位置において、一部の噴射口４２からの冷却水が角部Ｌに当たっていないことが分かった。
【００４７】
ここで、図９には、図３の角部Ｌが拡大図にて示されている。図９に示されるように、角部Ｌには、下の右端からの冷却水ａは当たっているが、この下の右端からの冷却水ａはあまり冷却に寄与していない。角部Ｌの側面と下の右端からの冷却水ａのなす角が小さい（平行に近い）ため、冷却水が鋼管６２の表面にある水蒸気膜を突破できないからである。単位長さ当たりのねじり角度が大きくなるほど鋼管６２の送り方向上流側で温度上昇が発生するのは、単位長さ当たりのねじり角度が大きくなるほど鋼管６２の送り方向上流側で水蒸気膜を突破できる圧力で冷却水が当たらなくなり始めるからである。
【００４８】
図１０には、図３の角部Ｕが拡大図にて示されている。３ＤＱによるねじり加工の際、角部Ｕも上述の角部Ｌと同様に単位長さ当たりのねじり角度が大きくなると冷却に支障をきたす。これは、上の右端からの冷却水ｂと右の上端からの冷却水ｃが角部Ｕに当たる前にぶつかりあった結果、所定の圧力で鋼管６２に冷却水が当たらないため、冷却水が鋼管６２の表面にある水蒸気膜を突破できないから起こると考えられる。
【００４９】
なお、鋼管６２が断面円形の丸管の場合、丸管をねじり加工しても冷却水の当たり方は変化しないため、上記課題は発生しない。上記課題が発生するのは、ねじり加工により鋼管６２の断面の傾きが変化し、冷却水の当たり方が変化する異形管である。異形管とは鋼管６２の断面の中心から鋼管６２までの距離が周方向で変化する管、すなわち、例えば角管や楕円管のような断面円形とは異なる断面形状を有する管のことである。本実施形態では、３ＤＱ装置１０の加工対象を断面円形とは異なる断面形状を有する鋼管６２とする。
【００５０】
図７に示されるように、送り量Ａ〜Ｃまでは、ねじり条件にかかわらず温度は同じである。つまり、図２のＡ〜Ｃ列の噴射口４２からの冷却水が当たる位置までは、ねじり条件にかかわらず鋼管６２の角部の温度は同じである。
【００５１】
これに対し、図７に示されるように、送り量Ｄ以降では、ねじり条件によって温度が異なる。つまり、図２のＤ列以降の噴射口４２からの冷却水が当たる位置では、単位長さ当たりのねじり角度が大きくなるに従い、鋼管６２の送り方向上流側において、ねじらない場合との温度の乖離が生じる。このことは、Ｄ列以降の噴射口４２からの冷却水が鋼管６２に本来当たる位置において、ねじられた鋼管６２の位置と冷却水の噴射位置とが適合していないことを意味する。
【００５２】
ここで、Ａ〜Ｃ列の噴射口４２からの冷却水が当たる位置で冷却を終了させるべく鋼管６２の送り速度を下げるのも対策の一つではあるが、それでは生産能率が低下してしまう。
【００５３】
そこで、発明者は、例えば、冷却装置１８を鋼管６２の送り方向に複数の冷却ユニットに分割し、この複数の冷却ユニットのうち下流側の冷却ユニットを鋼管６２のねじり角度に合わせて鋼管６２の軸周りに回転させれば、鋼管６２の送り方向下流側においても鋼管６２の位置と冷却水の噴射位置とを適合させることができると考えた。
【００５４】
また、発明者は、例えば、冷却装置１８に対する鋼管６２の送り方向下流側に別の冷却装置を追加し、この下流側の別の冷却装置を鋼管６２のねじり角度に合わせて鋼管６２の軸周りに回転させても、鋼管６２の送り方向下流側において鋼管６２の位置と冷却水の噴射位置とを適合させることができると考えた。
【００５５】
また、鋼管６２が曲げ加工された場合、鋼管６２の角部は、鋼管６２の曲げ変形に応じて位置が変わる。このため、上述の下流側の別の冷却装置を追加する例について、発明者は、下流側の別の冷却装置が、この冷却装置からの冷却水が当たる位置における鋼管６２の送り方向と直交する断面に沿って移動し、鋼管６２の曲げ変形に応じて位置を変更できることが望ましいと考えた。
【００５６】
また、鋼管６２が曲げ加工された場合、鋼管６２の送り方向と直交する断面は、鋼管６２の曲げ変形に応じて向きが変わる。このため、上述の下流側の別の冷却装置を追加する例について、発明者は、下流側の別の冷却装置が鋼管６２の曲げ変形に応じて傾動し向きを変更できることが望ましいと考えた。
【００５７】
なお、本明細書において、回転とは、ねじって位置を変えるという意味であって、モータのように所定の回転数で回転駆動するようなことは意味しない。また、鋼管の軸周りに回転とは、鋼管の中心軸を中心にして鋼管の周方向の位置が変化するという意味であって、鋼管と冷却装置が接触することを意味しない。
【００５８】
次に、上記検討結果により導き出された実施例１、２を順に説明する。
【００５９】
［実施例１］
図１１に示される実施例１では、上述の３ＤＱ装置１０に次の構成が追加されている。
【００６０】
＜構成１＞
実施例１において、冷却装置１８は、一例として、鋼管６２の送り方向に三つの冷却ユニット１８Ａ、１８Ｂ、１８Ｃに分割されている。つまり、冷却装置１８は、図７の結果を反映し、Ａ〜Ｃ列の噴射口４２を有する冷却ユニット１８Ａと、Ｄ〜Ｆ列の噴射口４２を有する冷却ユニット１８Ｂと、Ｇ〜Ｈ列の噴射口４２を有する冷却ユニット１８Ｃとに分割されている。この複数の冷却ユニット１８Ａ〜１８Ｃは、鋼管の送り方向上流側から下流側に向けて順に配置されている。
【００６１】
複数の冷却ユニット１８Ａ〜１８Ｃのうち鋼管６２の送り方向上流側から二番目以降に配置された冷却ユニット、すなわち、二番目及び三番目の冷却ユニット１８Ｂ、１８Ｃは、「回転冷却ユニット」に相当し、それぞれ独立して鋼管６２の軸線周りに回転可能とされている。
【００６２】
一方、Ａ〜Ｃ列の噴射口４２を有する一番目の冷却ユニット１８Ａは、鋼管６２の軸線周りに回転せずに設置対象物であるフレーム等に固定されている。一番目の冷却ユニット１８Ａを回転させないのは、Ａ〜Ｃ列の噴射口４２からの冷却水の当たる箇所は鋼管６２のねじれが大きくなく、一番目の冷却ユニット１８Ａが回転しなくても鋼管６２のねじり部６６の冷却に支障をきたさないからである。
【００６３】
＜構成２＞
実施例１において、３ＤＱ装置１０は、駆動装置２６を備える。駆動装置２６は、例えば、モータアクチュエータ等により構成されており、上述の二番目及び三番目の冷却ユニット１８Ｂ、１８Ｃをそれぞれ独立して鋼管６２の軸線周りに回転させる。
【００６４】
制御装置２４は、後に詳述するように、鋼管６２のねじり部６６のねじれに追従して二番目及び三番目の冷却ユニット１８Ｂ、１８Ｃが鋼管６２の軸線周りに回転するように、駆動装置２６を制御する。
【００６５】
制御装置２４には、例えば、ねじり部６６のねじれに追従して二番目及び三番目の冷却ユニット１８Ｂ、１８Ｃを鋼管６２の軸線周りに回転させるためのプログラム等が記憶されている。そして、二番目及び三番目の冷却ユニット１８Ｂ、１８Ｃの回転角度は、ねじり加工条件に基づいて制御装置２４により算出される。また、この算出結果に基づいて、二番目及び三番目の冷却ユニット１８Ｂ、１８Ｃの回転が制御装置２４により制御される。
【００６６】
なお、ねじり加工条件の代わりに、鋼管６２のねじり加工においてリアルタイムに検出されるねじり部６６のねじり角度に基づいて二番目及び三番目の冷却ユニット１８Ｂ、１８Ｃの回転角度が制御装置２４により算出されても良い。
【００６７】
そして、実施例１におけるねじり部材の製造方法では、上述の３ＤＱ装置１０の基本動作と同様に、送り開始ステップ、熱間加工ステップ、及び、冷却ステップが実行される。
【００６８】
ただし、冷却ステップでは、制御装置２４が駆動装置２６を制御することにより、二番目及び三番目の冷却ユニット１８Ｂ、１８Ｃがねじり部６６のねじれに追従して鋼管６２の軸線周りに回転させられる。
【００６９】
つまり、Ｄ〜Ｆ列の噴射口４２からの冷却水の当たる箇所は、Ａ〜Ｃ列の噴射口４２からの冷却水の当たる箇所に比べて鋼管６２のねじれが大きく、ねじれが大きいと冷却に支障をきたすため、Ｄ〜Ｆ列の噴射口４２を有する二番目の冷却ユニット１８Ｂは、ねじり加工条件に応じて鋼管６２の軸線周りに回転する。また、Ｇ〜Ｈ列の噴射口４２からの冷却水の当たる箇所は、鋼管６２のねじれがさらに大きくなるため、Ｇ〜Ｈ列の噴射口４２を有する三番目の冷却ユニット１８Ｃは、二番目の冷却ユニット１８Ｂに比べてさらに大きく鋼管６２の軸線周りに回転する。
【００７０】
このとき、二番目及び三番目の冷却ユニット１８Ｂ、１８Ｃの回転角度は、ねじり加工条件に基づいて制御装置２４により算出される。また、この算出結果に基づいて、二番目及び三番目の冷却ユニット１８Ｂ、１８Ｃの回転が制御装置２４により制御される。
【００７１】
このように、実施例１によれば、鋼管６２が誘導加熱コイル１２及び冷却装置１８に対して相対的に送られながら、冷却装置１８から噴射した冷却水によりねじり部６６が冷却される際に、二番目及び三番目の冷却ユニット１８Ｂ、１８Ｃがねじり部６６のねじれに追従して鋼管６２の軸線周りに回転させられる。
【００７２】
これにより、鋼管６２のねじれが大きくなった場合でも、ねじり部６６に冷却水が適切に当たる状態を維持することができる。つまり、例えば、図７のねじり加工条件２〜４になる場合でも、図７のねじり加工条件１で鋼管６２を冷却することができる。この結果、鋼管６２の角部の冷却むらを抑制することができるので、３ＤＱで熱間加工したねじり部材６４のねじり部６６に生じる機械特性の不均一を解消することができる。
【００７３】
また、鋼管６２の送り方向下流側に向かうに従って鋼管６２のねじれが大きくなることに対応して、複数の冷却ユニット１８Ａ〜１８Ｃのうち鋼管６２の送り方向上流側から二番目以降に配置された冷却ユニット１８Ｂ、１８Ｃが鋼管６２の軸線周りに回転する。これにより、鋼管６２のねじれが大きくなった場合でも、冷却水をねじり部６６により効果的に当てることができる。
【００７４】
また、二番目及び三番目の冷却ユニット１８Ｂ、１８Ｃをねじり部６６のねじれに追従して鋼管６２の軸線周りに回転させることにより、鋼管６２の送り速度を低下させずにねじり部６６を冷却することができる。これにより、生産能率を低下させることなく、ねじれ部６６の強度を安定させることできる。この結果、生産能率を低下させずに、ねじり部材６４を所定の高い強度で製造することができる。
【００７５】
また、一番目の冷却ユニット１８Ａは、鋼管６２の軸線周りに回転しないので、ねじり角度の小さいねじれ部６６の基端部を、一番目の冷却ユニット１８Ａからの冷却水により的確に冷却することができる。
【００７６】
［実施例２］
【００７７】
３ＤＱによるねじり部材の製造方法では、鋼管６２の送り速度を高速化して製造能率を高められることが望ましい。鋼管６２の送り速度を高速化する一例としては、例えば、冷却装置１８に対する鋼管６２の送り方向下流側に別の冷却装置を追加することが考えられる。
【００７８】
また、３ＤＱによるねじり部材の製造方法では、鋼管６２にねじり力及び曲げ力を加えてねじり部６６に曲げ変形を加える場合がある。このように、鋼管６２にねじり力及び曲げ力を加えた場合、ねじり加工及び曲げ加工により鋼管６２の断面が移動する。
【００７９】
ここで、図１２には、ねじり加工及び曲げ加工により鋼管６２の断面が移動する様子が模式図にて示されている。図１２において、細線の長方形は、ねじり加工も曲げ加工もしない場合の鋼管６２の断面の位置を示しており、二点鎖線の長方形は、ねじり加工をした場合の鋼管６２の断面の位置を示している。また、太線の長方形は、ねじり加工と曲げ加工をした場合の鋼管６２の断面の位置を示している。
【００８０】
鋼管６２の冷却むらの発生する鋼管６２の断面の位置の変化は、ねじり加工による位置の変化と曲げ加工による位置の変化の合計である。ねじり角度φのねじり加工により、鋼管６２の断面は、縦方向にｈ１移動する。ｈ１は、以下の式（１）で算出される。以下の式（１）において、Ｗは、鋼管６２の幅である。
ｈ１＝（Ｗ／２）・ｓｉｎφ・・・（１）
【００８１】
さらに曲げ加工により、鋼管６２の断面は移動する。図１２に示されるように、４時の方向（θ＝３０°）にｌの大きさに曲げる場合、曲げ加工により、鋼管６２の断面は、縦方向にｈ２移動する。ｈ２は、以下の式（２）で算出される。ねじり加工と曲げ加工による縦方向の鋼管６２の断面の移動量ｈは、以下の式（３）で算出される。
ｈ２＝ｌｓｉｎθ・・・（２）
ｈ＝ｈ１＋ｈ２  ・・・（３）
【００８２】
このように、ねじり加工と曲げ加工を合わせて行う場合、下流側の別の冷却装置を鋼管６２の軸線周りに回転させるだけでは不十分で、さらに下流側の別の冷却装置を鋼管６２の曲げ変形に応じて例えば図１２の矢印ｌだけ移動（シフト）させることで、この冷却装置の位置を変更できることが望ましい。
【００８３】
また、ねじり部６６の先端側では、鋼管６２の送り方向と直交する断面の向きが曲げ加工に応じて変化する。したがって、ねじり部６２の先端側に対応して冷却装置を配置する場合には、この冷却装置を鋼管６２の曲げ加工に応じて傾動（チルト）させることで、この冷却装置の向きを鋼管６２の送り方向に対して変更できることが望ましい。
【００８４】
そこで、図１３に示される実施例２では、上述の実施例１に対し、３ＤＱ装置１０に次の構成がさらに追加されている。
【００８５】
＜追加構成１＞
実施例２において、３ＤＱ装置１０には、一番目の冷却装置１８よりも鋼管６２の送り方向下流側に二番目の冷却装置２８（二次冷却装置）が設けられている。この二番目の冷却装置２８は、一番目の冷却装置１８のように複数の冷却ユニットに分割されておらず、一体化した構成とされている。
【００８６】
この二番目の冷却装置２８は、この二番目の冷却装置２８からの冷却水が鋼管６２に当たる位置における鋼管６２の送り方向と直交する断面の中心部を中心に鋼管６２の軸線周りに回転可能である。この二番目の冷却装置２８は、「回転冷却ユニット」に相当する。
【００８７】
また、二番目の冷却装置２８は、図１３の矢印Ｐのように、鋼管６２の縦方向の曲がりに追従して傾動可能であると共に、図１３の矢印Ｑのように、鋼管６２の横方向の曲がりに追従して傾動可能である。さらに、二番目の冷却装置２８は、この二番目の冷却装置２８からの冷却水が当たる位置における鋼管の送り方向と直交する断面に沿って位置を変更可能である。
【００８８】
＜追加構成２＞
実施例２において、駆動装置２６は、上述の一番目の冷却装置１８を構成する複数の冷却ユニット１８Ａ〜１８Ｃのうち二番目及び三番目の冷却ユニット１８Ｂ、１８Ｃを鋼管６２の軸線周りに回転させる機能に加え、二番目の冷却装置２８の向き及び位置を変更させる機能を備える。
【００８９】
制御装置２４は、ねじり部６６のねじれ変形に応じて一番目の冷却装置１８における二番目及び三番目の冷却ユニット１８Ｂ、１８Ｃが回転するように、駆動装置２６を制御する機能と、ねじり部６６のねじれ変形に応じて二番目の冷却装置２８が回転するように、駆動装置２６を制御する機能と、ねじり部６６の曲げ変形に応じて二番目の冷却装置２８の向き及び位置が変更されるように、駆動装置２６を制御する機能とを有する。
【００９０】
そして、実施例２におけるねじり部材の製造方法では、例えば、熱間加工ステップにおいて、鋼管６２にねじり力及び曲げ力が加えられてねじり部６６に曲げ変形が加えられる。また、冷却ステップにおいて、駆動装置２６が制御装置２４により制御されることにより、ねじり部６６のねじれ変形に応じて一番目の冷却装置１８における二番目及び三番目の冷却ユニット１８Ｂ、１８Ｃが回転すると共に二番目の冷却装置２８が回転する。
【００９１】
また、駆動装置２６が制御装置２４により制御されることにより、ねじり部６６の曲げ変形に応じて二番目の冷却装置２８の向き及び位置が変更される。つまり、例えば、二番目の冷却装置２８は、図１３の矢印Ｐのように、鋼管６２の縦方向の曲がりに追従して傾動されると共に、図１３の矢印Ｑのように、鋼管６２の横方向の曲がりに追従して傾動される。これにより、二番目の冷却装置２８からの冷却水が当たる位置における鋼管６２の送り方向（軸線方向）と二番目の冷却装置２８の軸方向とが揃った状態となる。
【００９２】
さらに、駆動装置２６が制御装置２４により制御されることにより、二番目の冷却装置２８は、この二番目の冷却装置２８からの冷却水が当たる位置における鋼管６２の送り方向と直交する断面に沿って位置が変更される。例えば、二番目の冷却装置２８は、図１２の矢印ｌのように位置が変更される。これにより、二番目の冷却装置２８からの冷却水が当たる位置における鋼管６２の送り方向と直交する断面の中心軸上に二番目の冷却装置２８の中心軸が位置する状態となる。
【００９３】
このように、実施例２によれば、一番目の冷却装置１８よりも鋼管６２の送り方向下流側には、二番目の冷却装置２８（二次冷却装置）が設けられている。したがって、鋼管６２の送り速度を高速化しても、鋼管６２の冷却性を確保できるので、製造能率を高めることができる。
【００９４】
また、実施例２では、二番目の冷却装置２８が一番目の冷却装置１８よりも鋼管６２の送り方向下流側に位置するため、鋼管６２のねじり変形及び曲げ変形によって鋼管６２の位置が大きく変化する箇所を冷却することになる。
【００９５】
この点、実施例２において、二番目の冷却装置２８は、ねじり部６６のねじれに追従して鋼管６２の軸線周りに回転されると共に、ねじり部６６の曲げ変形に応じて向き及び位置が変更される。このため、ねじり部６６に曲げ変形が加えられた場合でも、この曲げ変形されたねじり部６６に二番目の冷却装置２８からの冷却水を的確に当てることができる。これにより、ねじり部６６を適切に冷却することができるので、鋼管６２の角部の冷却むらを抑制することができる。
【００９６】
次に、本実施形態の変形例を説明する。
【００９７】
上記実施例２において、３ＤＱ装置１０は、鋼管６２の送り方向に三つ以上の冷却装置を備えていても良い。そして、この三つ以上の冷却装置のうち鋼管６２の送り方向上流側から二番目以降に配置された各冷却装置を、「回転冷却ユニット」として鋼管６２の軸線周りに回転させても良い。さらに、この二番目以降に配置された冷却装置の向き及び位置をねじり部６６の曲げ変形に応じて変更させても良い。
【００９８】
また、実施例１、２において、一番目の冷却装置１８は、三つの冷却ユニット１８Ａ〜１８Ｃに分割されているが、二つの冷却ユニット１８Ａ、１８Ｂに分割されても良く、また、四つ以上の冷却ユニットに分割されても良い。そして、この複数の冷却ユニットのうち鋼管６２の送り方向上流側から二番目以降に配置された冷却ユニットが、「回転冷却ユニット」として鋼管６２の軸線周りに回転されても良い。
【００９９】
また、実施例１、２において、例えば、一番目の冷却装置１８における一番目の冷却ユニット１８Ａからの冷却水が当たる位置において鋼管６２のねじれが大きくなる場合には、この一番目の冷却ユニット１８Ａが、「回転冷却ユニット」として鋼管６２の軸線周りに回転されても良い。
【０１００】
また、実施例１、２において、例えば、一番目の冷却装置１８における二番目及び三番目の冷却ユニット１８Ｂ、１８Ｃからの冷却水が当たる位置においてねじり部６６に曲げ変形が生じる場合には、この一番目の冷却装置１８における二番目及び三番目の冷却ユニット１８Ｂ、１８Ｃの向き及び位置が駆動装置２６により変更されても良い。
【０１０１】
このように二番目及び三番目の冷却ユニット１８Ｂ、１８Ｃの向き及び位置が変更される場合に、二番目及び三番目の冷却ユニット１８Ｂ、１８Ｃは、この二番目及び三番目の冷却ユニット１８Ｂ、１８Ｃからの冷却水が鋼管６２に当たる位置における鋼管６２の送り方向と直交する断面の中心部を中心に鋼管６２の軸線周りにそれぞれ回転されることが望ましい。
【０１０２】
また、実施例１、２において、例えば、一番目の冷却装置１８における一番目の冷却ユニット１８Ａからの冷却水が当たる位置においてねじり部６６に曲げ変形が生じる場合には、この一番目の冷却ユニット１８Ａの向き及び位置が駆動装置２６により変更されても良い。
【０１０３】
このように一番目の冷却ユニット１８Ａの向き及び位置が変更される場合に、一番目の冷却ユニット１８Ａは、この一番目の冷却ユニット１８Ａからの冷却水が鋼管６２に当たる位置における鋼管６２の送り方向と直交する断面の中心部を中心に鋼管６２の軸線周りに回転されることが望ましい。
【０１０４】
以上、本発明の一実施形態について説明したが、本発明は、上記に限定されるものでなく、上記以外にも、その主旨を逸脱しない範囲内において種々変形して実施可能であることは勿論である。
【符号の説明】
【０１０５】
１０  ３ＤＱ装置（ねじり部材の製造装置の一例）
１２  誘導加熱コイル（加熱装置の一例）
１４  高周波電力発生装置
１６  外力付与装置
１８  冷却装置
１８Ａ、１８Ｂ  冷却ユニット（回転冷却ユニットの一例）
１８Ｃ  冷却ユニット
２０  冷却水供給装置
２２  送り装置
２４  制御装置
２６  駆動装置
２８  冷却装置（回転冷却ユニットの一例）
４２  噴射口
６２  鋼管
６４  ねじり部材
６６  ねじり部
【図１】
0006601238.tif 000002
【図２】
0006601238.tif 000003
【図３】
0006601238.tif 000004
【図４】
0006601238.tif 000005
【図５】
0006601238.tif 000006
【図６】
0006601238.tif 000007
【図７】
0006601238.tif 000008
【図８Ａ】
0006601238.tif 000009
【図８Ｂ】
0006601238.tif 000010
【図８Ｃ】
0006601238.tif 000011
【図８Ｄ】
0006601238.tif 000012
【図９】
0006601238.tif 000013
【図１０】
0006601238.tif 000014
【図１１】
0006601238.tif 000015
【図１２】
0006601238.tif 000016
【図１３】
0006601238.tif 000017